【手続補正書】
【提出日】平成18年12月18日(2006.12.18)
【手続補正１】
【補正対象書類名】明細書
【補正対象項目名】特許請求の範囲
【補正方法】変更
【補正の内容】
【特許請求の範囲】
【請求項１】  表示すべき画像を形成するための複数の画素形成部と、前記画像を示す複数の映像信号を前記複数の画素形成部に伝達するための複数の映像信号線と、前記複数の映像信号線と交差する複数の走査信号線とを備え、前記複数の画素形成部が前記複数の映像信号線と前記複数の走査信号線との交差点にそれぞれ対応してマトリクス状に配置されたアクティブマトリクス型の液晶表示装置であって、
前記複数の走査信号線を選択的に駆動する走査信号線駆動回路と、
前記複数の映像信号を前記複数の映像信号線に印加する映像信号線駆動回路とを備え、
前記各画素形成部は、対応する交差点を通過する走査信号線が前記走査信号線駆動回路によって選択されているときに、当該対応する交差点を通過する映像信号線に前記映像信号線駆動回路によって印加される映像信号を画素値として取り込み、
前記走査信号線駆動回路は、前記複数の走査信号線を１本または所定本数おきに所定順に選択して駆動する第１の飛び越し走査と、前記複数の走査信号線のうち前記第１の飛び越し走査で選択されない走査信号線を所定順に選択して駆動する第２の飛び越し走査とを交互に繰り返し、かつ、前記第１の飛び越し走査において走査信号線が選択される順序に基づく走査方向と前記第２の飛び越し走査において走査信号線が選択される順序に基づく走査方向とが互いに逆となるように、前記複数の走査信号線を選択的に駆動し、
前記映像信号線駆動回路は、前記第１および第２の飛び越し走査のそれぞれにおいて前記複数の映像信号としての電圧を同一極性で前記複数の映像信号線に印加すると共に、前記走査信号線駆動回路による走査信号線の駆動が前記第１の飛び越し走査から前記第２飛び越し走査へと切り替わる時に前記複数の映像信号線への印加電圧の極性を反転させることを特徴とする液晶表示装置。
【請求項２】  表示すべき画像を形成するための複数の画素形成部と、前記画像を示す複数の映像信号を前記複数の画素形成部に伝達するための複数の映像信号線と、前記複数の映像信号線と交差する複数の走査信号線とを備え、前記複数の画素形成部が前記複数の映像信号線と前記複数の走査信号線との交差点にそれぞれ対応してマトリクス状に配置されたアクティブマトリクス型の液晶表示装置であって、
前記複数の走査信号線を選択的に駆動する走査信号線駆動回路と、
前記複数の映像信号を前記複数の映像信号線に印加する映像信号線駆動回路とを備え、
前記各画素形成部は、対応する交差点を通過する走査信号線が前記走査信号線駆動回路によって選択されているときに、当該対応する交差点を通過する映像信号線に前記映像信号線駆動回路によって印加される映像信号を画素値として取り込み、
前記走査信号線駆動回路は、前記複数の走査信号線を１本または所定本数おきに所定順に選択して駆動する第１の飛び越し走査と、前記複数の走査信号線のうち前記第１の飛び越し走査で選択されない走査信号線を所定順に選択して駆動する第２の飛び越し走査とを交互に繰り返し、
前記映像信号線駆動回路は、前記第１および第２の飛び越し走査のそれぞれにおいて前記複数の映像信号としての電圧を同一極性で前記複数の映像信号線に印加すると共に、前記走査信号線駆動回路による走査信号線の駆動が前記第１の飛び越し走査から前記第２飛び越し走査へと切り替わる時に前記複数の映像信号線への印加電圧の極性を反転させ、
前記各画素形成部は、
対応する交差点を通過する走査信号線である対応走査信号線が選択されているときにオンされ、当該対応走査信号線が選択されていないときにオフされるスイッチング素子と、
対応する交差点を通過する映像信号線に前記スイッチング素子を介して接続される画素電極と、
前記複数の画素形成部に共通的に設けられ、前記画素電極との間に所定容量が形成されるように配置された共通電極とを含み、
同一走査信号線によってオンおよびオフされるスイッチング素子に接続される画素電極である同時選択画素電極は、前記複数の画素形成部からなるマトリクスにおいて上下に隣接する２行に分散的に配置されていることを特徴とする液晶表示装置。
【請求項３】  前記走査信号線駆動回路は、前記第２の飛び越し走査の後に所定期間だけ前記複数の走査信号線を非選択状態とすることを特徴とする、請求項１または２に記載の液晶表示装置。
【請求項４】  表示すべき画像を形成するための複数の画素形成部と、前記画像を示す複数の映像信号を前記複数の画素形成部に伝達するための複数の映像信号線と、前記複数の映像信号線と交差する複数の走査信号線とを備え、前記複数の画素形成部が前記複数の映像信号線と前記複数の走査信号線との交差点にそれぞれ対応してマトリクス状に配置されたアクティブマトリクス型の液晶表示装置の駆動方法であって、
前記複数の走査信号線を選択的に駆動する走査信号線駆動ステップと、
前記複数の映像信号を前記複数の映像信号線に印加する映像信号線駆動ステップとを備え、
前記走査信号線駆動ステップでは、前記複数の走査信号線を１本または所定本数おきに所定順に選択して駆動する第１の飛び越し走査と、前記複数の走査信号線のうち前記第１の飛び越し走査で選択されない走査信号線を所定順に選択して駆動する第２の飛び越し走査とが交互に繰り返され、かつ、前記第１の飛び越し走査において走査信号線が選択される順序に基づく走査方向と前記第２の飛び越し走査において走査信号線が選択される順序に基づく走査方向とが互いに逆となるように、前記複数の走査信号線が選択的に駆動され、
前記映像信号線駆動ステップでは、前記第１および第２の飛び越し走査のそれぞれにおいて同一極性で前記複数の映像信号としての電圧が前記複数の映像信号線に印加されると共に、前記走査信号線駆動ステップでの走査信号線の駆動が前記第１の飛び越し走査から前記第２飛び越し走査へと切り替わる時に前記複数の映像信号線への印加電圧の極性が反転することを特徴とする駆動方法。
【請求項５】  前記走査信号線駆動ステップでは、前記第２の飛び越し走査の後に所定期間だけ前記複数の走査信号線が非選択状態とされることを特徴とする、請求項４に記載の駆動方法。
【手続補正２】
【補正対象書類名】明細書
【補正対象項目名】０００７
【補正方法】変更
【補正の内容】
【０００７】
【課題を解決するための手段】
第１の発明は、表示すべき画像を形成するための複数の画素形成部と、前記表示すべき画像を示す映像信号を前記複数の画素形成部に伝達するための複数の映像信号線と、前記複数の映像信号線と交差する複数の走査信号線とを備え、前記複数の画素形成部が前記複数の映像信号線と前記複数の走査信号線との交差点にそれぞれ対応してマトリクス状に配置されたアクティブマトリクス型の液晶表示装置であって、
前記複数の走査信号線を選択的に駆動する走査信号線駆動回路と、
前記映像信号を前記複数の映像信号線に印加する映像信号線駆動回路とを備え、
各画素形成部は、対応する交差点を通過する走査信号線が前記走査信号線駆動回路によって選択されているときに、当該対応する交差点を通過する映像信号線に前記映像信号線駆動回路によって印加される映像信号を画素値として取り込み、
前記走査信号線駆動回路は、前記複数の走査信号線を１本または所定本数おきに所定順に選択して駆動する第１の飛び越し走査と、前記複数の走査信号線のうち前記第１の飛び越し走査で選択されない走査信号線を所定順に選択して駆動する第２の飛び越し走査とを交互に繰り返し、かつ、前記第１の飛び越し走査において走査信号線が選択される順序に基づく走査方向と前記第２の飛び越し走査において走査信号線が選択される順序に基づく走査方向とが互いに逆となるように、前記複数の走査信号線を選択的に駆動し、
前記映像信号線駆動回路は、前記第１および第２の飛び越し走査のそれぞれにおいて前記映像信号としての電圧を同一極性で前記複数の映像信号線に印加すると共に、前記走査信号線駆動回路による走査信号線の駆動が前記第１の飛び越し走査から前記第２飛び越し走査へと切り替わる時に前記複数の映像信号線への印加電圧の極性を反転させることを特徴とする。
【手続補正３】
【補正対象書類名】明細書
【補正対象項目名】０００８
【補正方法】変更
【補正の内容】
【０００８】
第２の発明は、表示すべき画像を形成するための複数の画素形成部と、前記画像を示す複数の映像信号を前記複数の画素形成部に伝達するための複数の映像信号線と、前記複数の映像信号線と交差する複数の走査信号線とを備え、前記複数の画素形成部が前記複数の映像信号線と前記複数の走査信号線との交差点にそれぞれ対応してマトリクス状に配置されたアクティブマトリクス型の液晶表示装置であって、
前記複数の走査信号線を選択的に駆動する走査信号線駆動回路と、
前記複数の映像信号を前記複数の映像信号線に印加する映像信号線駆動回路とを備え、
各画素形成部は、対応する交差点を通過する走査信号線が前記走査信号線駆動回路によって選択されているときに、当該対応する交差点を通過する映像信号線に前記映像信号線駆動回路によって印加される映像信号を画素値として取り込み、
前記走査信号線駆動回路は、前記複数の走査信号線を１本または所定本数おきに所定順に選択して駆動する第１の飛び越し走査と、前記複数の走査信号線のうち前記第１の飛び越し走査で選択されない走査信号線を所定順に選択して駆動する第２の飛び越し走査とを交互に繰り返し、
前記映像信号線駆動回路は、前記第１および第２の飛び越し走査のそれぞれにおいて前記複数の映像信号としての電圧を同一極性で前記複数の映像信号線に印加すると共に、前記走査信号線駆動回路による走査信号線の駆動が前記第１の飛び越し走査から前記第２飛び越し走査へと切り替わる時に前記複数の映像信号線への印加電圧の極性を反転させ、
前記各画素形成部は、
対応する交差点を通過する走査信号線である対応走査信号線が選択されているときにオンされ、当該対応走査信号線が選択されていないときにオフされるスイッチング素子と、
対応する交差点を通過する映像信号線に前記スイッチング素子を介して接続される画素電極と、
前記複数の画素形成部に共通的に設けられ、前記画素電極との間に所定容量が形成されるように配置された共通電極とを含み、
同一走査信号線によってオンおよびオフされるスイッチング素子に接続される画素電極である同時選択画素電極は、前記複数の画素形成部からなるマトリクスにおいて上下に隣接する２行に分散的に配置されていることを特徴とする。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
第４の発明は、表示すべき画像を形成するための複数の画素形成部と、前記画像を示す複数の映像信号を前記複数の画素形成部に伝達するための複数の映像信号線と、前記複数の映像信号線と交差する複数の走査信号線とを備え、前記複数の画素形成部が前記複数の映像信号線と前記複数の走査信号線との交差点にそれぞれ対応してマトリクス状に配置されたアクティブマトリクス型の液晶表示装置の駆動方法であって、
前記複数の走査信号線を選択的に駆動する走査信号線駆動ステップと、
前記複数の映像信号を前記複数の映像信号線に印加する映像信号線駆動ステップとを備え、
前記走査信号線駆動ステップでは、前記複数の走査信号線を１本または所定本数おきに所定順に選択して駆動する第１の飛び越し走査と、前記複数の走査信号線のうち前記第１の飛び越し走査で選択されない走査信号線を所定順に選択して駆動する第２の飛び越し走査とが交互に繰り返され、かつ、前記第１の飛び越し走査において走査信号線が選択される順序に基づく走査方向と前記第２の飛び越し走査において走査信号線が選択される順序に基づく走査方向とが互いに逆となるように、前記複数の走査信号線が選択的に駆動され、
前記映像信号線駆動ステップでは、前記第１および第２の飛び越し走査のそれぞれにおいて同一極性で前記複数の映像信号としての電圧が前記複数の映像信号線に印加されると共に、前記走査信号線駆動ステップでの走査信号線の駆動が前記第１の飛び越し走査から前記第２飛び越し走査へと切り替わる時に前記複数の映像信号線への印加電圧の極性が反転することを特徴とする。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
第５の発明は、第４の発明において、
前記走査信号線駆動ステップでは、前記第２の飛び越し走査の後に所定期間だけ前記複数の走査信号線が非選択状態とされることを特徴とする。
【手続補正８】
【補正対象書類名】明細書
【補正対象項目名】００８４
【補正方法】変更
【補正の内容】
【００８４】
【発明の効果】
第１の発明によれば、第１の飛び越し走査における映像信号線への印加電圧の極性と、第２の飛び越し走査における映像信号線への印加電圧の極性とは異なっているが、各飛び越し走査内における映像信号線への印加電圧は同一極性であるので、従来に比べて反転周波数を大幅に低減しつつライン反転駆動を行うことができる。したがって、このようなライン反転駆動により（フレーム反転駆動に比べ）良好な表示品位を確保しつつ、消費電力を大幅に削減することができる。また、第１の発明によれば、第１の飛び越し走査と第２の飛び越し走査とで走査方向が互いに逆となることで、画素形成部に保持される画素値（画素電圧）に対する映像信号線の電圧変化の影響が実質的に相殺され、その結果、本来の表示内容とは関係しない画面内での輝度差の発生が低減される。すなわち、シャドーの発生が抑制される。
【手続補正９】
【補正対象書類名】明細書
【補正対象項目名】００８５
【補正方法】変更
【補正の内容】
【００８５】
第２の発明によれば、第１の飛び越し走査における映像信号線への印加電圧の極性と、第２の飛び越し走査における映像信号線への印加電圧の極性とは異なっているが、各飛び越し走査内における映像信号線への印加電圧は同一極性であるので、従来に比べて反転周波数を大幅に低減しつつライン反転駆動を行うことができる。したがって、このようなライン反転駆動により（フレーム反転駆動に比べ）良好な表示品位を確保しつつ、消費電力を大幅に削減することができる。また、第２の発明によれば、同時選択画素電極が画素形成部のマトリクスにおいて上下に隣接する２行に分散的に配置されているので、ライン反転駆動を行いつつ擬似的にドット反転駆動を実現することができる。このため、通常のドット反転駆動に比べて消費電力を大幅に削減しつつ、フリッカの発生を低減することができる。
【手続補正１０】
【補正対象書類名】明細書
【補正対象項目名】００８７
【補正方法】削除
【補正の内容】
【手続補正１１】
【補正対象書類名】明細書
【補正対象項目名】００８８
【補正方法】変更
【補正の内容】
【００８８】
第４の発明によれば、第１の発明と同様の効果を奏する。
第５の発明によれば、第３の発明と同様の効果を奏する。